(57)【要約】【課題】  表示モジュールの表示切り替え操作と表示モジュールの決定操作を切り離して、操作の自由度が高く、しかも表示モジュールの構造を簡便なものとする、表示モジュールのソケットを提供する。【解決手段】  筒形状のハウジング２内部に表示モジュール１１を配置するソケット１において、前記ハウジング２の上部に形成される鍔部３と、この鍔部３の下面に配設される基板８と、この基板８上に設けられ、前記鍔部３に形成された窓部４に位置するように配設されるフォトセンサ５とを備え、このフォトセンサ５は少なくとも２個配設され、このフォトセンサ５に操作者の指又は補助具が近接することにより前記ソケット１内に配置された表示モジュール１１の操作を行うようにした。【選択図】  図１
2013206586.tif 000002
【特許請求の範囲】
【請求項１】
筒形状のハウジング内部に表示モジュールを配置するソケットにおいて、前記ハウジングの上部に形成される鍔部と、該鍔部の下面に配設される基板と、該基板上に設けられ、前記鍔部に形成された窓部に位置するように配設されるフォトセンサとを備え、該フォトセンサは少なくとも２個配設され、該フォトセンサに操作者の指又は補助具が近接することにより前記ソケット内に配置された表示モジュールの操作を行うようにしたことを特徴とする表示モジュールのソケット。
【請求項２】
請求項１記載の表示モジュールのソケットにおいて、前記ハウジングの下面にプリント基板が配設され、前記プリント基板上面に前記表示モジュールが接続される第１のコネクタが実装され、前記プリント基板の下面に外部と接続される第２のコネクタが実装されていることを特徴とする表示モジュールのソケット。
【請求項３】
請求項１又は２記載の表示モジュールのソケットにおいて、前記ハウジングに前記表示モジュールとしての表示装置付き押しボタンスイッチが配置されることを特徴とする表示モジュールのソケット。
【請求項４】
請求項１又は２記載の表示モジュールのソケットにおいて、前記ハウジングに前記表示モジュールとしての照光式押しボタンスイッチが配置されることを特徴とする表示モジュールのソケット。
【請求項５】
請求項１又は２記載の表示モジュールのソケットにおいて、前記ハウジングに前記表示モジュールとしての表示装置が配置されることを特徴とする表示モジュールのソケット。
【請求項６】
請求項１から５の何れか一項記載の表示モジュールのソケットにおいて、前記フォトセンサが配置される鍔部の一部を透光部材で形成したことを特徴とする表示モジュールのソケット。
【請求項７】
請求項６記載の表示モジュールのソケットにおいて、前記透光部材の厚みは、前記フォトセンサの検出の限界距離と同等であることを特徴とする表示モジュールのソケット。
【発明の詳細な説明】
【技術分野】
【０００１】
本発明は、照光式スイッチ、表示装置付きスイッチや表示装置の表示の切り換えを行う補助的な操作を行うための表示モジュールのソケットに関するものである。
【背景技術】
【０００２】
従来、本願出願人は、スイッチ内部に選択用スイッチと決定用スイッチを内蔵し、ボタンの左右（または上下）を押下することにより、表示を切り替え、ボタンの中央を押下してスイッチの操作を決定することができるスイッチ（下記特許文献１参照）を提案している。
また、本願出願人は、照光式スイッチとしては、下記の特許文献２や、スイッチ機能は有しないが表示を行う発光表示装置（下記特許文献３参照）を提案している。
【先行技術文献】
【特許文献】
【０００３】
【特許文献１】特開２０１０−０３３９９４号公報
【特許文献２】特開２００５−２４３３２２号公報
【特許文献３】特開２００９−１０３９８３号公報
【発明の概要】
【発明が解決しようとする課題】
【０００４】
しかしながら、上記した従来のスイッチは、スイッチ内部に機構が備えられているため、決められた操作方向や操作方法でしか操作できない。つまり、操作の自由度が低い。また、スイッチの構造が複雑になるといった問題があった。
本発明は、上記状況に鑑みて、表示モジュールの表示切り替え操作と表示モジュールの決定操作を切り離して、操作の自由度が高く、しかも表示モジュールの構造を簡便なものとする、表示モジュールのソケットを提供することを目的とする。
【課題を解決するための手段】
【０００５】
本発明は、上記目的を達成するために、
〔１〕筒形状のハウジング内部に表示モジュールを配置するソケットにおいて、前記ハウジングの上部に形成される鍔部と、この鍔部の下面に配設される基板と、この基板上に設けられ、前記鍔部に形成された窓部に位置するように配設されるフォトセンサとを備え、このフォトセンサは少なくとも２個配設され、このフォトセンサに操作者の指又は補助具が近接することにより前記ソケット内に配置された表示モジュールの操作を行うようにしたことを特徴とする。
【０００６】
〔２〕上記〔１〕記載の表示モジュールのソケットにおいて、前記ハウジングの下面にプリント基板が配設され、このプリント基板上面に前記表示モジュールが接続される第１のコネクタが実装され、前記プリント基板の下面に外部と接続される第２のコネクタが実装されていることを特徴とする。
〔３〕上記〔１〕又は〔２〕記載の表示モジュールのソケットにおいて、前記ハウジングに前記表示モジュールとしての表示装置付き押しボタンスイッチが配置されることを特徴とする。
【０００７】
〔４〕上記〔１〕又は〔２〕記載の表示モジュールのソケットにおいて、前記ハウジングに前記表示モジュールとしての照光式押しボタンスイッチが配置されることを特徴とする。
〔５〕上記〔１〕又は〔２〕記載の表示モジュールのソケットにおいて、前記ハウジングに前記表示モジュールとしての表示装置が配置されることを特徴とする。
【０００８】
〔６〕上記〔１〕から〔５〕の何れか一項記載の表示モジュールのソケットにおいて、前記フォトセンサが配置される前記鍔部の一部を透光部材で形成したことを特徴とする。
〔７〕上記〔６〕記載の表示モジュールのソケットにおいて、前記透光部材の厚みは、前記フォトセンサの検出の限界距離と同等であることを特徴とする。
【発明の効果】
【０００９】
本発明によれば、次のような効果を奏することができる。
（１）表示モジュールの操作方法や操作方向を自由に設定することができる。
（２）フォトセンサを複数個（例えば、２個）配置することで、左右又は上下などの操作を自由に設定することができ、フォトセンサを４個配設することで、左右、上下、回転などのような多様な操作が可能である。
【００１０】
（３）鍔部の一部に形成される透光部材をフォトセンサの検出の限界距離と同等とすることで鍔部に接していないと操作ができなくなるため、誤操作を防止することができる。
【図面の簡単な説明】
【００１１】
【図１】本発明の第１実施例を示す表示装置付きスイッチのソケットの斜視図である。
【図２】本発明の第１実施例を示す表示装置付きスイッチのソケットを有するスイッチ装置の分解斜視図である。
【図３】本発明の第１実施例を示す表示装置付きスイッチのソケットの平面図である。
【図４】本発明の第１実施例を示す表示装置付きスイッチのソケットの正面図である。
【図５】本発明の第１実施例を示す表示装置付きスイッチが挿入されたスイッチ装置の断面図である。
【図６】本発明の第１実施例を示す表示装置付きスイッチが挿入されたスイッチ装置のパネル取付時の正面図である。
【図７】本発明の第２実施例を示す表示装置付きスイッチのソケットの斜視図である。
【図８】本発明の第２実施例を示す表示装置付きスイッチのソケットを有するスイッチ装置の分解斜視図である。
【図９】本発明の第２実施例を示す表示装置付きスイッチのソケットの平面図である。
【図１０】本発明の第２実施例を示す表示装置付きスイッチのソケットの正面図である。
【図１１】本発明の第２実施例を示す表示装置付きスイッチが挿入されたスイッチ装置の断面図である。
【図１２】本発明の第２実施例を示す表示装置付きスイッチが挿入されたスイッチ装置のパネル取付時の正面図である。
【図１３】本発明の第３実施例を示す表示装置付きスイッチのソケットの平面図である。
【図１４】本発明の第３実施例を示す表示装置付きスイッチが挿入されたスイッチ装置の断面図である。
【図１５】本発明の第４実施例を示す表示装置付きスイッチのソケットの平面図である。
【図１６】本発明の第４実施例を示す表示装置付きスイッチが挿入されたスイッチ装置の断面図である。
【図１７】本発明の実施例を示す表示装置付きスイッチの表示装置の一般的操作態様を示す図である。
【図１８】本発明の実施例を示す表示装置付きスイッチの表示装置の第１の操作態様を示す図である。
【図１９】本発明の実施例を示す表示装置付きスイッチの表示装置の第２の操作態様を示す図である。
【図２０】本発明の実施例を示す表示装置付きスイッチの表示装置の第３の操作態様を示す図である。
【図２１】本発明の実施例を示す表示装置付きスイッチの表示装置の第４の操作態様を示す図である。
【発明を実施するための形態】
【００１２】
本発明の表示モジュールのソケットは、筒形状のハウジングの内部に表示装置付きスイッチ（表示モジュール）を配置するソケットにおいて、前記ハウジングの上部に形成される鍔部と、この鍔部の下面に配設される基板と、この基板上に設けられ、前記鍔部に形成された窓部に位置するように配設されるフォトセンサとを備え、このフォトセンサは少なくとも２個配設され、このフォトセンサに操作者の指又は補助具が近接することにより前記ソケット内に配置された表示モジュールの操作を行うようにしたことを特徴とする。
【実施例】
【００１３】
以下、本発明の実施の形態について詳細に説明する。
以下、本発明の表示モジュールのソケットを図面とともに詳細に説明する。
まず、本発明の第１実施例を示す表示装置付きスイッチのソケットとスイッチが挿入されるスイッチ装置について説明する。なお、ここでは表示装置付きスイッチについて説明するが、本発明はこれに限定されるものではなく、照光式スイッチや表示機能を有するモジュールに適用することができる。
【００１４】
図１は本発明の第１実施例を示す表示装置付きスイッチのソケットの斜視図、図２はその表示装置付きスイッチのソケットを有するスイッチ装置の分解斜視図、図３はその表示装置付きスイッチのソケットの平面図、図４はその表示装置付きスイッチのソケットの正面図、図５はその表示装置付きスイッチが挿入されたスイッチ装置の断面図、図６はその表示装置付きスイッチが挿入されたスイッチ装置のパネル取付時の正面図である。
【００１５】
これらの図に示すように、表示モジュールとしての表示装置付きスイッチのソケット１は、ハウジング２、鍔部３、鍔部３に形成される窓部４、窓部４に配置されるフォトセンサ５、表示装置付きスイッチ（表示モジュール）１１が挿入される挿入穴６、ハウジング２に形成される板バネ７、鍔部３の下面に実装される基板（第１のプリント基板）８が設けられ、この第１のプリント基板８に複数個、少なくとも２個以上のフォトセンサ５が実装される。この第１のプリント基板８にはフレキシブルプリント基板９が実装される。挿入穴６の内部にはガイド枠１０を介して表示装置付きスイッチ（表示モジュール）１１が配置される。
【００１６】
上記したように、ハウジング２の鍔部３の下面に、フォトセンサ５やＩＣ等の電子部品を実装した第１のプリント基板８を配設し、ガイド枠１０をハウジング２に嵌合して、表示モジュールとしての表示装置付きスイッチのソケット１を完成する。
そのソケット１をパネル１２に嵌合し、後述する装置側プリント基板１３に実装された表示装置付きスイッチ１１をソケット１の下方から挿入し、第１のプリント基板８と装置側プリント基板１３とを後述するフレキシブルプリント基板９で接続する。なお、フレキシブルプリント基板９は第１のプリント基板８に実装ではなく、第１のプリント基板８にコネクタを実装し、このコネクタに接続するようにしてもよい。また、フレキシブルプリント基板９はケーブルなどでもよい。フォトセンサ５は、鍔部３の４辺に配置してもよく、個数も２個、４個、８個などとしてもよい。ガイド枠１０をハウジング２に一体的に形成し、第１のプリント基板８をハウジング２に嵌合するようにしてもよい。
【００１７】
本発明の表示モジュールのソケット１は、筒形状のハウジング２の内部に表示装置付き（照光式）スイッチや表示装置などの表示モジュール１１を配置することが可能なソケット１において、ハウジング２の上部に鍔部３が形成され、鍔部３の下面に第１のプリント基板８が配設される。この第１のプリント基板８上にフォトセンサ５が実装され、このフォトセンサ５は鍔部３に形成された窓部４に位置するように配設される。そこで、前記フォトセンサ５上に操作者の指などが近接することでソケット１に配置された表示装置付きスイッチや表示装置などの表示モジュール１１の操作を行うようにする。ここで、フォトセンサ５は、操作者の指を近接させることにより、表示装置付きスイッチの場合はその表示を、照光式スイッチの場合は、その色を切り替えることができる。また、表示モジュール１１の決定操作は、表示装置付きスイッチの場合は、そのスイッチの操作（押ボタンスイッチの場合は押圧操作）で行う。表示装置の場合は、スイッチの操作ができないので、フォトセンサ５の複数個の同時操作などで決定操作を行う。フォトセンサ５は、操作者の指に光を当てて反射してきた光を検出することにより、操作者の指の有無、位置を判定するセンサである。光の変化を電圧値に換算し、操作者の指が近接したときの電圧の変化で操作を認識する。
【００１８】
また、この表示装置付きスイッチ１１が挿入された表示装置付きスイッチのソケット１は、図６に示されるように、パネル１２に取り付けられる。
次に、本発明の第２実施例を示す表示装置付きスイッチのソケットとスイッチが挿入されるスイッチ装置について説明する。
図７は本発明の第２実施例を示す表示装置付きスイッチのソケットの斜視図、図８はその表示装置付きスイッチのソケットを有するスイッチ装置の分解斜視図、図９はその表示装置付きスイッチのソケットの平面図、図１０はその表示装置付きスイッチのソケットの正面図、図１１はその表示装置付きスイッチが挿入されたスイッチ装置の断面図、図１２はその表示装置付きスイッチが挿入されたスイッチ装置のパネル取付時の正面図である。
【００１９】
この第２実施例には、ハウジング２に形成される嵌合孔２１、後述するカバー２９に形成される嵌合突起２３、ハウジング２に形成される板バネ７、フォトセンサ５は第１のプリント基板８に実装され、表示装置付きスイッチ１１が接続される第１のコネクタ２５、この表示装置付きスイッチ１１のソケット１が外部と接続される第２のコネクタ２７が実装される第２のプリント基板２４とからなる。
【００２０】
また、表示装置付きスイッチ１１のソケット１は、図７に示すように、鍔部３に窓部４が形成され、この窓部４に対応するように、後述する基板（第１のプリント基板）８に実装されるフォトセンサ５が配置され、図８及び図１１に示すように、第１のプリント基板８にはフレキシブルプリント基板９が実装され、ガイド枠１０を介して、第１のコネクタ２５を有する第２のプリント基板２４が配置され、その第２のプリント基板２４の底面には第２のコネクタ２７が外部に導出される穴２８と嵌合突起２３が形成されたカバー２９が配置される。
【００２１】
また、図８に示されるように、表示装置付きスイッチ１１は、上部に第１のプリント基板８と、第１のプリント基板８に接続されるフレキシブルプリント基板９と、上記した第２のプリント基板２４と、この第２のプリント基板２４の底面にはカバー２９が設けられ、第２のコネクタ２７が外部に導出される。
また、この表示装置付きスイッチ１１が挿入された表示装置付きスイッチのソケット１は、図１２に示されるように、パネル１２に取り付けられる。
【００２２】
このように、第２実施例によれば、ハウジング２の下面に第２のプリント基板２４を配設して、表示装置付きスイッチ１１を接続する第１のコネクタ２５と、外部の装置側と接続する第２のコネクタ２７を搭載する。
このように、ハウジング２の鍔部３の下面に、フォトセンサ５やＩＣ等の電子部品を実装した第１のプリント基板８を配設し、ガイド枠１０をハウジング２に嵌合する。スイッチ１１を接続する第１のコネクタ２５および装置側と接続する第２のコネクタ２７を実装した第２のプリント基板２４と、第１のプリント基板８とをフレキシブルプリント基板９で接続し、第２のプリント基板２４をカバー２９によりハウジング２の下面に嵌合して、ソケット１を完成させる。
【００２３】
そのソケット１を操作パネル１２に嵌合し、スイッチ１１をソケット１上方から挿入し、第２のコネクタ２７と装置側をケーブルで接続する。
なお、フレキシブルプリント基板９は第１のプリント基板８に実装ではなく、第１のプリント基板８にコネクタを実装し、このコネクタに接続するようにしてもよい。また、フレキシブルプリント基板はケーブルなどでもよい。フォトセンサ５は、鍔部３の４辺に配置してもよく、個数も２個、４個、８個などとしてもよい。ガイド枠をハウジング２に一体的に形成し、第１のプリント基板８をハウジング２に嵌合するようにしてもよい。また、カバー２９をなくし、第２のプリント基板２４を直接ハウジング２に嵌合させるようにしてもよい。ＩＣなどは第１のプリント基板８に実装するのではなく、第２のプリント基板２４に実装するようにしてもよい。ガイド枠１０はハウジング２に一体的に形成し、第２のプリント基板２４をハウジング２に嵌合するようにしてもよい。
【００２４】
次に、本発明の第３実施例を示す表示装置付きスイッチのソケットとスイッチが挿入されるスイッチ装置について説明する。
図１３は本発明の第３実施例を示す表示装置付きスイッチのソケットの平面図、図１４はそのスイッチが挿入されたスイッチ装置の断面図である。
これらの図において、３１はフォトセンサ５が配置される前記鍔部の一部を透光部材で形成する。フォトセンサ５はその透光部材３１を介して操作者の指などで操作される。ここではフォトセンサ５が配置される全域に透光部材３１を配置する。
【００２５】
次に、本発明の第４実施例を示す表示装置付きスイッチのソケットとスイッチが挿入されるスイッチ装置について説明する。
図１５は第４実施例を示す表示装置付きスイッチのソケットの平面図、図１６はそのスイッチが挿入されたスイッチ装置の断面図である。
これらの図において、３２は鍔部３の窓部５のみに限定的に透光部材３２を形成する。フォトセンサ５はその窓部５のみに限定的に形成された透光部材３２を介して操作者の指などで操作される。
【００２６】
上記した第３及び第４実施例によれば、透光部材３１，３２の厚みは、前記フォトセンサ５の検出の限界距離と同等である。このように、鍔部に形成される透光部材をフォトセンサの検出の限界距離と同等とすることで鍔部に接していないと操作ができないため、誤操作を防止することができる効果がある。
また、第３及び第４実施例によれば、フォトセンサ５は透光部材３１又は３２によりカバーされるので、窓部が設けられた場合に比してフォトセンサ５の防塵効果や防水効果を高めることができる利点がある。
【００２７】
次に、表示装置付きスイッチのソケットの操作について説明する。
図１７は本発明の実施例を示す表示装置付きスイッチの表示装置の一般的操作態様を示す図、図１８はその表示装置付きスイッチの表示装置の第１の操作態様を示す図、図１９はその表示装置付きスイッチの表示装置の第２の操作態様を示す図、図２０はその表示装置付きスイッチの表示装置の第３の操作態様を示す図、図２１はその表示装置付きスイッチの表示装置の第４の操作態様を示す図である。
【００２８】
まず、表示装置付きスイッチのソケットには、例えば、図１７に示すように、鍔部３には４個のフォトセンサＡ〜Ｄが配置されており、操作者の指でフォトセンサＡを操作すると表示装置付きスイッチの表示は左に動作し、フォトセンサＢを操作すると右に動作し、フォトセンサＣを操作すると下に動作し、フォトセンサＤを操作すると上に動作する。なお、操作はタッチでも矢印のようになぞる操作でもよい。
【００２９】
具体的な操作の説明をすると、
（１）図１８（ａ）に示すように、文字「あ」が表示されている状態から、フォトセンサＢを操作すると、文字「い」に切り替わり、図１８（ｂ）に示すように、フォトセンサＡを操作すると、図１８（ｃ）に示すように、前の文字「あ」に戻る。このように、１個ずつ文字送りをすることができる。
【００３０】
（２）また、図１９（ａ）に示すように、文字「あ」が表示されている状態から、フォトセンサＤを操作すると、図１９（ｂ）に示すように、上の階層に移動して、数字「１」が表示され、フォトセンサＣを操作すると、図１９（ｃ）に示すように、下の階層に移動して、文字「あ」が表示される。
（３）さらに、図２０（ａ）に示すように、文字「あ」が表示されている状態から、フォトセンサＢ→フォトセンサＣと操作すると、図２０（ｂ）に示すように、文字を飛ばして、文字「か」が表示され、フォトセンサＣ→フォトセンサＢと操作すると、文字を飛ばして、元の文字「あ」に戻すことができる。このように、スキップして文字送りをすることができる。
【００３１】
なお、上記（３）の場合は、文字送りではなく、表示の回転をさせるように設定することもできる。
また、表示装置付きスイッチではなく、照光式スイッチの場合は、フォトセンサＡとＢで色の切り替え、フォトセンサＣとＤで輝度の切り替えを行うようにしてもよい。
さらに、図２１に示すように、フォトセンサＡ〜Ｄのそれぞれに不用意に触れただけでは動作しないようにするために、図２１（ａ）に示すように、フォトセンサＡとフォトセンサＢとを連続して操作したり、図２１（ｂ）に示すように、フォトセンサＢとフォトセンサＡとを連続して操作したり、図２１（ｃ）に示すように、フォトセンサＣとフォトセンサＤとを連続して操作したり、図２１（ｄ）に示すように、フォトセンサＤとフォトセンサＣとを連続操作した場合に限って動作するようにすることもできる。
【００３２】
なお、フォトセンサの操作は、通常は操作者の指の近接によるが、必ずしも、操作者の指に限定されることはなく、操作者が操作するペンや鉛筆などの補助具で操作するようにしてもよい。
ここで、表示モジュールについて説明しておく。
本発明の表示モジュールの代表例としては、（１）表示装置付き押ボタンスイッチ〔例えば、上記した特許文献１（特開２０１０−０３３９９４号公報）参照〕、（２）照光式押しボタンスイッチ（電路のオンオフ表示を行う押しボタンスイッチ）〔上記した特許文献２（特開２００５−２４３３２２号公報）参照〕、（３）スイッチ機能を持たない表示装置〔例えば、表示を所望の場所に配置することができる発光表示装置（上記した特許文献３（特開２００９−１０３９８３号公報）参照）〕などを挙げることができる。このように、スイッチのハウジングの内部に配置される各種の表示モジュールをソケットに実装されたフォトセンサの各種の操作により、スイッチの表示又は色の切り替えを行ったり、スイッチの操作（押圧操作）で決定操作を行うようにすることができる。
【００３３】
なお、本発明は上記実施例に限定されるものではなく、本発明の趣旨に基づき種々の変形が可能であり、これらを本発明の範囲から排除するものではない。
【産業上の利用可能性】
【００３４】
本発明の表示モジュールのソケットは、表示モジュールの操作と表示モジュールの切り換えを切り離して、操作の自由度が高く、しかも表示モジュールの構造は簡便なものとする、表示モジュールのソケットとして利用可能である。
【符号の説明】
【００３５】
１    表示装置付きスイッチ（表示モジュール）のソケット
２    ハウジング
３    鍔部
４    窓部
５，Ａ〜Ｄ    フォトセンサ
６    挿入穴
７    板バネ
８    第１のプリント基板
９    フレキシブルプリント基板
１０    ガイド枠
１１    表示装置付きスイッチ（表示モジュール）
１２    パネル
１３    装置側プリント基板
２１    嵌合孔
２３    嵌合突起
２４    第２のプリント基板
２５    第１のコネクタ
２７    第２のコネクタ
２８    穴
２９    カバー
３１    鍔部を構成する透光部材
３２    鍔部の窓部のみに形成される透光部材
【図１】
2013206586.tif 000003
【図２】
2013206586.tif 000004
【図３】
2013206586.tif 000005
【図４】
2013206586.tif 000006
【図５】
2013206586.tif 000007
【図６】
2013206586.tif 000008
【図７】
2013206586.tif 000009
【図８】
2013206586.tif 000010
【図９】
2013206586.tif 000011
【図１０】
2013206586.tif 000012
【図１１】
2013206586.tif 000013
【図１２】
2013206586.tif 000014
【図１３】
2013206586.tif 000015
【図１４】
2013206586.tif 000016
【図１５】
2013206586.tif 000017
【図１６】
2013206586.tif 000018
【図１７】
2013206586.tif 000019
【図１８】
2013206586.tif 000020
【図１９】
2013206586.tif 000021
【図２０】
2013206586.tif 000022
【図２１】
2013206586.tif 000023